(57)【要約】【課題】温度調節装置に対する節電運転と照明装置に対する節電運転とを一括して行うことが可能な自動販売機を提供する。【解決手段】庫内温度を調節する温度調節装置１６と、照明装置５と、複数の運転モードからいずれかの運転モードを選択するキーボード１８と、選択された運転モードに基いて温度調節装置１６および照明装置５を制御する制御装置１９とが備えられ、運転モードは、通常運転を行う通常運転モードと、節電運転を行う節電運転モードとを有し、制御装置１９は、節電運転モードが選択された場合、温度調節装置１６と照明装置５とのそれぞれの消費電力が通常運転モード時の消費電力よりも低減されるように、温度調節装置１６と照明装置５とを制御する。【選択図】図４
2013061891.tif 000002
【特許請求の範囲】
【請求項１】
電力により庫内の温度を調節する温度調節装置と、温度調節装置以外の他の電力消費装置と、複数の運転モードからいずれかの運転モードを選択する運転モード選択手段と、選択された運転モードに基いて温度調節装置および他の電力消費装置を制御する制御装置とが備えられ、
運転モードは、通常運転を行う通常運転モードと、節電運転を行う節電運転モードとを有し、
制御装置は、節電運転モードが選択された場合、温度調節装置と他の電力消費装置とのそれぞれの消費電力が通常運転モード時の消費電力よりも低減されるように、温度調節装置と他の電力消費装置とを制御することを特徴とする自動販売機。
【請求項２】
他の電力消費装置は照明装置とファン装置とランプ装置と金銭処理装置との少なくともいずれか１つであることを特徴とする請求項１記載の自動販売機。
【請求項３】
運転モードは時間帯別節電運転モード又は曜日別節電運転モード或は季節追従節電運転モードを有し、
制御装置は、時間帯別節電運転モードが選択された場合、時間帯に応じて節電運転を実施し、曜日別節電運転モードが選択された場合、曜日に応じて節電運転を実施し、季節追従節電運転モードが選択された場合、季節に応じて節電運転を実施することを特徴とする請求項１又は請求項２記載の自動販売機。
【請求項４】
運転モードは売れ行き追従節電運転モードを有し、
制御装置は、売れ行き追従節電運転モードが選択された場合、商品の売れ行きに応じて、節電運転を実施することを特徴とする請求項１から請求項３のいずれか１項に記載の自動販売機。
【請求項５】
運転モードは外気温追従節電運転モードを有し、
制御装置は、外気温追従節電運転モードが選択された場合、外気温に応じて、節電運転を実施することを特徴とする請求項１から請求項４のいずれか１項に記載の自動販売機。
【発明の詳細な説明】
【技術分野】
【０００１】
本発明は、庫内の温度を調節する温度調節手段と、例えば、照明装置等の他の電力消費装置とを備えた自動販売機に関する。
【背景技術】
【０００２】
従来、この種の自動販売機としては、庫内の温度を調節する加温および冷却装置と、ディスプレイ部に展示されている商品見本を照らし出す照明装置と、加温および冷却装置を制御する制御装置とを備えたものがある。加温および冷却装置の運転モードは、通常運転を行う通常運転モードと、節電運転を行う節電運転モードとを有している。
【０００３】
通常運転モードが選択されると、制御装置は庫内が設定温度に保たれるように加温および冷却装置を制御する。また、節電運転モードが選択されると、制御装置は、加温時において庫内が設定温度よりも低温になるように加温装置を制御し、冷却時において庫内が設定温度よりも高温になるように冷却装置を制御する。これにより、加温時における加温装置の消費電力と冷却時における冷却装置の消費電力とが節電できる。
【０００４】
尚、加温および冷却装置の節電運転については、例えば下記特許文献１に記載されている。
【先行技術文献】
【特許文献】
【０００５】
【特許文献１】特開２０００−９９８１７
【発明の概要】
【発明が解決しようとする課題】
【０００６】
しかしながら上記の従来形式では、加温および冷却装置に対して節電運転を行うことができるが、加温および冷却装置以外の他の電力消費装置（例えば照明装置等）に対して、加温および冷却装置と一括して、節電運転を同時に行うことはできないといった問題がある。このため、別途、他の電力消費装置に対して節電運転を行う必要があり、面倒で設定ミス等が発生し易かった。
【０００７】
本発明は、温度調節装置に対する節電運転と他の電力消費装置に対する節電運転とを一括して行うことが可能な自動販売機を提供することを目的とする。
【課題を解決するための手段】
【０００８】
上記目的を達成するために、本第１発明における自動販売機は、電力により庫内の温度を調節する温度調節装置と、温度調節装置以外の他の電力消費装置と、複数の運転モードからいずれかの運転モードを選択する運転モード選択手段と、選択された運転モードに基いて温度調節装置および他の電力消費装置を制御する制御装置とが備えられ、
運転モードは、通常運転を行う通常運転モードと、節電運転を行う節電運転モードとを有し、
制御装置は、節電運転モードが選択された場合、温度調節装置と他の電力消費装置とのそれぞれの消費電力が通常運転モード時の消費電力よりも低減されるように、温度調節装置と他の電力消費装置とを制御するものである。
【０００９】
これによると、制御装置は、節電運転モードが選択された場合、温度調節装置と他の電力消費装置とのそれぞれの消費電力が通常運転モード時の消費電力よりも低減されるように、温度調節装置と他の電力消費装置とを制御する。このように、節電運転モードを選択することによって、温度調節装置に対する節電運転と他の電力消費装置に対する節電運転とを一括して同時に行うことができるため、温度調節装置と他の電力消費装置とを個別に節電運転する場合に比べて、節電運転の設定が容易であり、設定ミスを減らすことができる。
【００１０】
本第２発明における自動販売機は、他の電力消費装置は照明装置とファン装置とランプ装置と金銭処理装置との少なくともいずれか１つであるものである。
これによると、例えば、他の電力消費装置が照明装置である場合、制御装置は、節電運転モードが選択されると、温度調節装置と照明装置とのそれぞれの消費電力が通常運転モード時の消費電力よりも低減されるように、温度調節装置と照明装置とを制御する。このように、節電運転モードを選択することによって、温度調節装置に対する節電運転と照明装置に対する節電運転とを一括して同時に行うことができるため、温度調節装置と照明装置とを個別に節電運転する場合に比べて、節電運転の設定が容易であり、設定ミスを減らすことができる。
【００１１】
尚、他の電力消費装置がファン装置又はランプ装置或は金銭処理装置の場合も同様である。
本第３発明における自動販売機は、運転モードは時間帯別節電運転モード又は曜日別節電運転モード或は季節追従節電運転モードを有し、
制御装置は、時間帯別節電運転モードが選択された場合、時間帯に応じて節電運転を実施し、曜日別節電運転モードが選択された場合、曜日に応じて節電運転を実施し、季節追従節電運転モードが選択された場合、季節に応じて節電運転を実施するものである。
【００１２】
これによると、温度調節装置と他の電力消費装置とに対して、時間帯又は曜日或は季節に応じたより細かな節電運転を一括して行うことができる。
本第４発明における自動販売機は、運転モードは売れ行き追従節電運転モードを有し、
制御装置は、売れ行き追従節電運転モードが選択された場合、商品の売れ行きに応じて、節電運転を実施するものである。
【００１３】
これによると、温度調節装置と他の電力消費装置とに対して、商品の売れ行きに応じたより細かな節電運転を一括して行うことができる。
本第５発明における自動販売機は、運転モードは外気温追従節電運転モードを有し、
制御装置は、外気温追従節電運転モードが選択された場合、外気温に応じて、節電運転を実施するものである。
【００１４】
これによると、温度調節装置と他の電力消費装置とに対して、外気温に応じたより細かな節電運転を一括して行うことができる。
【発明の効果】
【００１５】
以上のように本発明によると、温度調節装置に対する節電運転と他の電力消費装置に対する節電運転とを一括して行うことができるため、温度調節装置と他の電力消費装置とを個別に節電運転する場合に比べて、節電運転の設定が容易であり、設定ミスを減らすことができる。
【図面の簡単な説明】
【００１６】
【図１】本発明の第１の実施の形態における自動販売機の正面図である。
【図２】同、自動販売機のディスプレイ部の拡大図である。
【図３】同、自動販売機の平面図である。
【図４】同、自動販売機の制御系のブロック図である。
【図５】同、自動販売機の扉を開いた斜視図である。
【図６】同、自動販売機の通常運転モードのフローチャートである。
【図７】同、自動販売機の通常節電運転モードのフローチャートである。
【図８】同、自動販売機の最大節電運転モードのフローチャートである。
【図９】同、自動販売機の時間帯別通常節電運転モードのフローチャートである。
【図１０】同、自動販売機の時間帯別最大節電運転モードのフローチャートである。
【図１１】同、自動販売機の曜日別通常節電運転モードのフローチャートである。
【図１２】同、自動販売機の曜日別最大節電運転モードのフローチャートである。
【図１３】同、自動販売機の温度優先節電運転モードのフローチャートである。
【図１４】同、自動販売機の照明優先節電運転モードのフローチャートである。
【図１５】同、自動販売機の売れ行き追従節電運転モードのフローチャートである。
【図１６】同、自動販売機の外気温追従節電運転モードのフローチャートである。
【図１７】同、自動販売機の外気温追従節電運転モードのフローチャートである。
【図１８】同、自動販売機の季節追従節電運転モードのフローチャートである。
【図１９】同、自動販売機の季節追従節電運転モードのフローチャートである。
【図２０】同、自動販売機の季節追従節電運転モードのフローチャートである。
【図２１】本発明の第２の実施の形態における自動販売機の売れ行き追従節電運転モードのフローチャートである。
【発明を実施するための形態】
【００１７】
以下、本発明における実施の形態を、図面を参照して説明する。
（第１の実施の形態）
図１，図２に示すように、第１の実施の形態において、１は複数種類の缶飲料等の商品２を販売する自動販売機である。自動販売機１には、各商品２の見本３を並べて展示するディスプレイ部４と、ディスプレイ部４を照らし出す照明装置５（他の電力消費装置の一例）と、複数種類の商品２から目的の商品２を選択する複数の商品選択釦６（商品選択手段の一例）と、商品２の売り切れ表示、準備中表示、販売可能表示および商品選択釦６の電飾等を行う接客ランプ７（ランプ装置の一例）と、新商品等の広告を表示する広告表示部８と、広告表示部８を照らし出す広告表示部照明装置９等を有している。照明装置５は、ＬＥＤ等からなる照明部１０と、ＰＷＭ制御により照明部１０の明るさを調節する調光部１１とを有している。
【００１８】
図３，図４に示すように、自動販売機１の内部には、商品２を収納する複数の収納庫１４ａ〜１４ｃと、各収納庫１４ａ〜１４ｃ内の商品２を払い出す払出装置１５と、電力により各収納庫１４ａ〜１４ｃの温度を調節する温度調節装置１６と、投入された貨幣を選別して釣銭を払い出す金銭処理装置１７と、複数の運転モードからいずれかの運転モードを選択するキーボード１８（運転モード選択手段の一例）と、選択された運転モードに基いて温度調節装置１６および照明装置５を制御する制御装置１９等が設けられている。
【００１９】
温度調節装置１６は蒸発器と圧縮器と凝縮器およびヒータを有しており、蒸発器と圧縮器と凝縮器とで冷凍サイクルを形成している。
また、各収納庫１４ａ〜１４ｃは、温度調節装置１６によって加温されて高温に保たれる加温設定状態と、温度調節装置１６によって冷却されて低温に保たれる冷却設定状態とに切換え可能である。
【００２０】
尚、各収納庫１４ａ〜１４ｃの温度は温度レベル１〜９に段階的に設定可能であり、冷却設定状態時において温度レベル１〜９は温度１℃〜９℃に対応し、加温設定状態時において温度レベル１〜９は温度５１℃〜５９℃に対応するように設定されている。また、照明部１０の照度は調光レベル１〜１０に段階的に設定可能であり、調光レベル１〜１０は照度１０％〜１００％に対応するように設定されている。
【００２１】
また、自動販売機１には、時刻を判別するタイマー機能２１と、月日および曜日を判別するカレンダー機能２２と、外気温を測定する外気温測定装置２３と、一日毎の商品２の販売本数を計数する計数装置２４と、各収納庫１４ａ〜１４ｃ内の温度を計測する庫内温度測定装置２５とが設けられている。
【００２２】
図５に示すように、キーボード１８には、表示部２７と、現在すでに選択されている運転モードを表示部２７に表示させる表示キー２８と、新たに選択したい運転モードを表示部２７に表示させる選択キー２９と、選択キー２９で選択した運転モードを入力する入力キー３０とを有している。また、加温設定状態と冷却設定状態との切換えはキーボード１８のキー操作によって行われる。
【００２３】
運転モードは複数の運転モードを有しており、下記に運転モードとその内容を説明する。
・モード番号０
通常運転モード：通常運転を行うモードであり、冷却設定状態時において各収納庫１４ａ〜１４ｃ内の温度を温度レベル５（すなわち５℃）に保ち、加温設定状態時において各収納庫１４ａ〜１４ｃ内の温度を温度レベル５（すなわち５５℃）に保ち、照明部１０の照度を調光レベル５（すなわち５０％）に保つ。
・モード番号１
通常節電運転モード：通常節電運転を行うモードであり、冷却設定状態時において各収納庫１４ａ〜１４ｃ内の温度を温度レベル６（すなわち６℃）に保ち、加温設定状態時において各収納庫１４ａ〜１４ｃ内の温度を温度レベル４（すなわち５４℃）に保ち、照明部１０の照度を調光レベル３（すなわち３０％）に保つ。
・モード番号２
最大節電運転モード：最大節電運転を行うモードであり、冷却設定状態時において各収納庫１４ａ〜１４ｃ内の温度を温度レベル９（すなわち９℃）に保ち、加温設定状態時において各収納庫１４ａ〜１４ｃ内の温度を温度レベル１（すなわち５１℃）に保ち、照明部１０の照度を調光レベル１（すなわち１０％）に保つ。
・モード番号３
時間帯別通常節電運転モード：時間帯に応じて通常節電運転を行うモードであり、タイマー機能２１で判別された時間帯が午前０時から午前５時の深夜時間帯である場合、上記モード番号１の通常節電運転モードを行い、タイマー機能２１で判別された時間帯が上記深夜時間帯以外のその他の時間帯である場合、上記モード番号０の通常運転モードを行う。
・モード番号４
時間帯別最大節電運転モード：時間帯に応じて最大節電運転を行うモードであり、タイマー機能２１で判別された時間帯が午前０時から午前５時の深夜時間帯である場合、上記モード番号２の最大節電運転モードを行い、タイマー機能２１で判別された時間帯が上記深夜時間帯以外のその他の時間帯である場合、上記モード番号０の通常運転モードを行う。
・モード番号５
曜日別通常節電運転モード：曜日に応じて通常節電運転を行うモードであり、カレンダー機能２２により判別された曜日が休日（日曜日、祝日）である場合、上記モード番号１の通常節電運転モードを行い、カレンダー機能２２により判別された曜日が平日である場合、上記モード番号０の通常運転モードを行う。
・モード番号６
曜日別最大節電運転モード：曜日に応じて最大節電運転を行うモードであり、カレンダー機能２２により判別された曜日が休日（日曜日、祝日）である場合、上記モード番号２の最大節電運転モードを行い、カレンダー機能２２により判別された曜日が平日である場合、上記モード番号０の通常運転モードを行う。
・モード番号７
温度優先節電運転モード：温度を優先して節電運転を行うモードであり、冷却設定状態時において各収納庫１４ａ〜１４ｃ内の温度を温度レベル６（すなわち６℃）に保ち、加温設定状態時において各収納庫１４ａ〜１４ｃ内の温度を温度レベル４（すなわち５４℃）に保ち、照明部１０の照度を調光レベル１（すなわち１０％）に保つ。
・モード番号８
照明優先節電運転モード：照明を優先して節電運転を行うモードであり、冷却設定状態時において各収納庫１４ａ〜１４ｃ内の温度を温度レベル９（すなわち９℃）に保ち、加温設定状態時において各収納庫１４ａ〜１４ｃ内の温度を温度レベル１（すなわち５１℃）に保ち、照明部１０の照度を調光レベル３（すなわち３０％）に保つ。
・モード番号９
売れ行き追従節電運転モード：商品２の売れ行きに応じて節電運転を行うモードであり、売上げが多い場合、上記モード番号１の通常節電運転モードを行い、売上げが少ない場合、上記モード番号２の最大節電運転モードを行う。
・モード番号１０
外気温追従節電運転モード：外気温に応じて節電運転を行うモードであり、外気温測定装置２３により測定された外気温が３０℃以上の場合、冷却設定状態時において各収納庫１４ａ〜１４ｃ内の温度を温度レベル６（すなわち６℃）に保ち、加温設定状態時において各収納庫１４ａ〜１４ｃ内の温度を温度レベル１（すなわち５１℃）に保ち、照明部１０の照度を調光レベル３（すなわち３０％）に保つ。また、外気温測定装置２３により測定された外気温が３０℃未満の場合、冷却設定状態時において各収納庫１４ａ〜１４ｃ内の温度を温度レベル９（すなわち９℃）に保ち、加温設定状態時において各収納庫１４ａ〜１４ｃ内の温度を温度レベル４（すなわち５４℃）に保ち、照明部１０の照度を調光レベル１（すなわち１０％）に保つ。
・モード番号１１
季節追従節電運転モード：季節に応じて節電運転を行うモードであり、カレンダー機能２２により判別された季節（すなわち月日）に応じて節電運転を行うモードであり、カレンダー機能２２により判別された月日が７月〜９月（すなわち夏季）の場合、冷却設定状態時において各収納庫１４ａ〜１４ｃ内の温度を温度レベル６（すなわち６℃）に保ち、加温設定状態時において各収納庫１４ａ〜１４ｃ内の温度を温度レベル１（すなわち５１℃）に保ち、照明部１０の照度を調光レベル３（すなわち３０％）に保つ。
【００２４】
また、カレンダー機能２２により判別された月日が４月〜６月（すなわち春季）又は１０月〜１２月（すなわち秋季）の場合、冷却設定状態時において各収納庫１４ａ〜１４ｃ内の温度を温度レベル７（すなわち７℃）に保ち、加温設定状態時において各収納庫１４ａ〜１４ｃ内の温度を温度レベル３（すなわち５３℃）に保ち、照明部１０の照度を調光レベル２（すなわち２０％）に保つ。
【００２５】
また、カレンダー機能２２により判別された月日が１月〜３月（すなわち冬季）の場合、冷却設定状態時において各収納庫１４ａ〜１４ｃ内の温度を温度レベル９（すなわち９℃）に保ち、加温設定状態時において各収納庫１４ａ〜１４ｃ内の温度を温度レベル４（すなわち５４℃）に保ち、照明部１０の照度を調光レベル１（すなわち１０％）に保つ。
【００２６】
尚、上記モード番号９の売れ行き追従節電運転モードにおいて、商品２の売上げの多少の判定基準は下記のように定義されている。
商品２の過去二週間における一日当りの平均販売本数をＡ（本）とし、商品２の種類数（商品選択釦の数）をＢとし、定数をＸ（本）とすると、制御装置１９は、下記式（１）の関係を満たす場合、売上げが多いと判定し、下記式（１）の関係を満たさない場合、売上げが少ないと判定する。
Ｂ×Ｘ≦Ａ・・・（１）
尚、上記式（１）において、定数Ｘには例えば３などが用いられる。また、商品２の販売本数は計数装置２４によって求められる。
【００２７】
図５に示すように、作業者がキーボード１８の表示キー２８を操作することにより、キーボード１８の表示部２７に、現在すでに選択されている運転モードのモード番号が表示される。運転モードを変更する場合は、選択キー２９を順次操作することによって、表示部２７にモード番号０〜モード番号１１が順次表示され、目的とする運転モードのモード番号を選択して表示部２７に表示させる。そして、入力キー３０を操作することにより、選択したモード番号が入力され、選択したモード番号に対応した運転モードに変更される。
【００２８】
このようにキーボード１８を用いて各モード番号を選択した場合、制御装置１９は下記（１）〜（１２）のような制御を行う。
（１）例えば、キーボード１８からモード番号０が入力されると、制御装置１９は通常運転モードを実行する。この際、図６に示すように、各収納庫１４ａ〜１４ｃが冷却設定状態か加温設定状態かを判断し（Ｓ−１）、冷却設定状態である場合、各収納庫１４ａ〜１４ｃ内の温度が温度レベル５（すなわち５℃）に保たれるように温度調節装置１６で冷却するとともに、照明部１０の照度が調光レベル５（＝５０％）に保たれるように調光部１１を制御する（Ｓ−２）。
【００２９】
また、各収納庫１４ａ〜１４ｃが加温設定状態である場合、各収納庫１４ａ〜１４ｃ内の温度が温度レベル５（すなわち５５℃）に保たれるように温度調節装置１６で加温するとともに、照明部１０の照度が調光レベル５に保たれるように調光部１１を制御する（Ｓ−３）。
【００３０】
（２）また、キーボード１８からモード番号１が入力されると、制御装置１９は通常節電運転モードを実行する。この際、図７に示すように、各収納庫１４ａ〜１４ｃが冷却設定状態か加温設定状態かを判断し（Ｓ−１）、冷却設定状態である場合、各収納庫１４ａ〜１４ｃ内の温度が温度レベル６（すなわち６℃）に保たれるように温度調節装置１６で冷却するとともに、照明部１０の照度が調光レベル３（＝３０％）に保たれるように調光部１１を制御する（Ｓ−２）。
【００３１】
また、各収納庫１４ａ〜１４ｃが加温設定状態である場合、各収納庫１４ａ〜１４ｃ内の温度が温度レベル４（すなわち５４℃）に保たれるように温度調節装置１６で加温するとともに、照明部１０の照度が調光レベル３に保たれるように調光部１１を制御する（Ｓ−３）。
【００３２】
（３）また、キーボード１８からモード番号２が入力されると、制御装置１９は最大節電運転モードを実行する。この際、図８に示すように、各収納庫１４ａ〜１４ｃが冷却設定状態か加温設定状態かを判断し（Ｓ−１）、冷却設定状態である場合、各収納庫１４ａ〜１４ｃ内の温度が温度レベル９（すなわち９℃）に保たれるように温度調節装置１６で冷却するとともに、照明部１０の照度が調光レベル１（＝１０％）に保たれるように調光部１１を制御する（Ｓ−２）。
【００３３】
また、各収納庫１４ａ〜１４ｃが加温設定状態である場合、各収納庫１４ａ〜１４ｃ内の温度が温度レベル１（すなわち５１℃）に保たれるように温度調節装置１６で加温するとともに、照明部１０の照度が調光レベル１に保たれるように調光部１１を制御する（Ｓ−３）。
【００３４】
（４）また、キーボード１８からモード番号３が入力されると、制御装置１９は時間帯別通常節電運転モードを実行する。この際、図９に示すように、タイマー機能２１によって時間帯を判別し（Ｓ−１）、判別した時間帯が午前０時から午前５時の深夜時間帯である場合、上記モード番号１の通常節電運転モードを実行する（Ｓ−２）。また、判別された時間帯が午前０時から午前５時以外である場合、上記モード番号０の通常運転モードを実行する（Ｓ−３）。
【００３５】
（５）また、キーボード１８からモード番号４が入力されると、制御装置１９は時間帯別最大節電運転モードを実行する。この際、図１０に示すように、タイマー機能２１によって時間帯を判別し（Ｓ−１）、判別した時間帯が午前０時から午前５時の深夜時間帯である場合、上記モード番号２の最大節電運転モードを実行する（Ｓ−２）。また、判別された時間帯が午前０時から午前５時以外である場合、上記モード番号０の通常運転モードを実行する（Ｓ−３）。
【００３６】
（６）また、キーボード１８からモード番号５が入力されると、制御装置１９は曜日別通常節電運転モードを実行する。この際、図１１に示すように、カレンダー機能２２によって曜日を判別し（Ｓ−１）、判別した曜日が休日である場合、上記モード番号１の通常節電運転モードを実行する（Ｓ−２）。また、判別された曜日が平日である場合、上記モード番号０の通常運転モードを実行する（Ｓ−３）。
【００３７】
（７）また、キーボード１８からモード番号６が入力されると、制御装置１９は曜日別最大節電運転モードを実行する。この際、図１２に示すように、カレンダー機能２２によって曜日を判別し（Ｓ−１）、判別した曜日が休日である場合、上記モード番号２の最大節電運転モードを実行する（Ｓ−２）。また、判別された曜日が平日である場合、上記モード番号０の通常運転モードを実行する（Ｓ−３）。
【００３８】
（８）また、キーボード１８からモード番号７が入力されると、制御装置１９は温度優先節電運転モードを実行する。この際、図１３に示すように、各収納庫１４ａ〜１４ｃが冷却設定状態か加温設定状態かを判断し（Ｓ−１）、冷却設定状態である場合、各収納庫１４ａ〜１４ｃ内の温度が温度レベル６（すなわち６℃）に保たれるように温度調節装置１６で冷却するとともに、照明部１０の照度が調光レベル１（＝１０％）に保たれるように調光部１１を制御する（Ｓ−２）。
【００３９】
また、各収納庫１４ａ〜１４ｃが加温設定状態である場合、各収納庫１４ａ〜１４ｃ内の温度が温度レベル４（すなわち５４℃）に保たれるように温度調節装置１６で加温するとともに、照明部１０の照度が調光レベル１に保たれるように調光部１１を制御する（Ｓ−３）。
【００４０】
（９）また、キーボード１８からモード番号８が入力されると、制御装置１９は照明優先節電運転モードを実行する。この際、図１４に示すように、各収納庫１４ａ〜１４ｃが冷却設定状態か加温設定状態かを判断し（Ｓ−１）、冷却設定状態である場合、各収納庫１４ａ〜１４ｃ内の温度が温度レベル９（すなわち９℃）に保たれるように温度調節装置１６で冷却するとともに、照明部１０の照度が調光レベル３（＝３０％）に保たれるように調光部１１を制御する（Ｓ−２）。
【００４１】
また、各収納庫１４ａ〜１４ｃが加温設定状態である場合、各収納庫１４ａ〜１４ｃ内の温度が温度レベル１（すなわち５１℃）に保たれるように温度調節装置１６で加温するとともに、照明部１０の照度が調光レベル３に保たれるように調光部１１を制御する（Ｓ−３）。
【００４２】
（１０）また、キーボード１８からモード番号９が入力されると、制御装置１９は売れ行き追従節電運転モードを実行する。この際、図１５に示すように、計数装置２４によって求められる商品２の販売本数に基いて、上記式（１）「Ｂ×Ｘ≦Ａ」を満たすか満たさないかを判断し（Ｓ−１）、式（１）を満たす場合、売上げが多いと判断して、上記モード番号１の通常節電運転モードを実行する（Ｓ−２）。また、式（１）を満たさない場合、売上げが少ないと判断して、上記モード番号２の最大節電運転モードを行う。
【００４３】
（１１）また、キーボード１８からモード番号１０が入力されると、制御装置１９は外気温追従節電運転モードを実行する。この際、図１６，図１７に示すように、外気温測定装置２３によって外気温が測定され、外気温の測定値が３０℃（所定温度の一例）以上か又は３０℃未満かを判断する（Ｓ−１）。外気温の測定値が３０℃以上の場合、各収納庫１４ａ〜１４ｃが冷却設定状態か加温設定状態かを判断し（Ｓ−２）、冷却設定状態である場合、各収納庫１４ａ〜１４ｃ内の温度が温度レベル６（すなわち６℃）に保たれるように温度調節装置１６で冷却するとともに、照明部１０の照度が調光レベル３（＝３０％）に保たれるように調光部１１を制御する（Ｓ−３）。
【００４４】
また、上記Ｓ−２において、各収納庫１４ａ〜１４ｃが加温設定状態である場合、各収納庫１４ａ〜１４ｃ内の温度が温度レベル１（すなわち５１℃）に保たれるように温度調節装置１６で加温するとともに、照明部１０の照度が調光レベル３に保たれるように調光部１１を制御する（Ｓ−４）。
【００４５】
また、上記Ｓ−１において、外気温の測定値が３０℃未満の場合、図１７に示すように、各収納庫１４ａ〜１４ｃが冷却設定状態か加温設定状態かを判断し（Ｓ−５）、冷却設定状態である場合、各収納庫１４ａ〜１４ｃ内の温度が温度レベル９（すなわち９℃）に保たれるように温度調節装置１６で冷却するとともに、照明部１０の照度が調光レベル１（＝１０％）に保たれるように調光部１１を制御する（Ｓ−６）。
【００４６】
また、上記Ｓ−５において、各収納庫１４ａ〜１４ｃが加温設定状態である場合、各収納庫１４ａ〜１４ｃ内の温度が温度レベル４（すなわち５４℃）に保たれるように温度調節装置１６で加温するとともに、照明部１０の照度が調光レベル１に保たれるように調光部１１を制御する（Ｓ−７）。
【００４７】
（１２）また、キーボード１８からモード番号１１が入力されると、制御装置１９は季節追従節電運転モードを実行する。この際、図１８〜図２０に示すように、カレンダー機能２２によって判別された月日が７月〜９月であるかを判断し（Ｓ−１）、７月〜９月である場合、各収納庫１４ａ〜１４ｃが冷却設定状態か加温設定状態かを判断し（Ｓ−２）、冷却設定状態である場合、各収納庫１４ａ〜１４ｃ内の温度が温度レベル６（すなわち６℃）に保たれるように温度調節装置１６で冷却するとともに、照明部１０の照度が調光レベル３（＝３０％）に保たれるように調光部１１を制御する（Ｓ−３）。
【００４８】
また、上記Ｓ−２において、各収納庫１４ａ〜１４ｃが加温設定状態である場合、各収納庫１４ａ〜１４ｃ内の温度が温度レベル１（すなわち５１℃）に保たれるように温度調節装置１６で加温するとともに、照明部１０の照度が調光レベル３に保たれるように調光部１１を制御する（Ｓ−４）。
【００４９】
また、上記Ｓ−１において、判別された月日が７月〜９月ではない場合、図１９に示すように、判別された月日が４月〜６月又は１０月〜１２月のいずれかであるかを判断し（Ｓ−５）、４月〜６月又は１０月〜１２月のいずれかである場合、各収納庫１４ａ〜１４ｃが冷却設定状態か加温設定状態かを判断し（Ｓ−６）、冷却設定状態である場合、各収納庫１４ａ〜１４ｃ内の温度が温度レベル７（すなわち７℃）に保たれるように温度調節装置１６で冷却するとともに、照明部１０の照度が調光レベル２（＝２０％）に保たれるように調光部１１を制御する（Ｓ−７）。
【００５０】
また、上記Ｓ−６において、各収納庫１４ａ〜１４ｃが加温設定状態である場合、各収納庫１４ａ〜１４ｃ内の温度が温度レベル３（すなわち５３℃）に保たれるように温度調節装置１６で加温するとともに、照明部１０の照度が調光レベル２に保たれるように調光部１１を制御する（Ｓ−８）。
【００５１】
また、上記Ｓ−５において、判別された月日が４月〜６月と１０月〜１２月とのいずれにも該当しない場合は、図２０に示すように、判別された月日が１月〜３月であると判断され、各収納庫１４ａ〜１４ｃが冷却設定状態か加温設定状態かを判断し（Ｓ−９）、冷却設定状態である場合、各収納庫１４ａ〜１４ｃ内の温度が温度レベル９（すなわち９℃）に保たれるように温度調節装置１６で冷却するとともに、照明部１０の照度が調光レベル１（＝１０％）に保たれるように調光部１１を制御する（Ｓ−１０）。
【００５２】
また、上記Ｓ−９において、各収納庫１４ａ〜１４ｃが加温設定状態である場合、各収納庫１４ａ〜１４ｃ内の温度が温度レベル４（すなわち５４℃）に保たれるように温度調節装置１６で加温するとともに、照明部１０の照度が調光レベル１に保たれるように調光部１１を制御する（Ｓ−１１）。
【００５３】
以上のように、上記モード番号１〜１１に対応する各種節電運転モードのいずれかを選択して実行することにより、温度調節装置１６と照明装置５とのそれぞれの消費電力がモード番号０に対応する通常運転モード時の消費電力も低減される。
【００５４】
このように各種節電運転モードのいずれかを選択することによって、温度調節装置１６に対する節電運転と照明装置５に対する節電運転とを一括して同時に行うことができるため、温度調節装置１６と照明装置５とを個別に節電運転する場合に比べて、節電運転の設定が容易であり、設定ミスを減らすことができる。
【００５５】
また、時間帯別通常節電運転モードや時間帯別最大節電運転モードを選択することにより、温度調節装置１６と照明装置５とに対して、時間帯に応じたより細かな節電運転を一括して行うことができる。
【００５６】
また、曜日別通常節電運転モードや曜日別最大節電運転モードを選択することにより、温度調節装置１６と照明装置５とに対して、曜日に応じたより細かな節電運転を一括して行うことができる。
【００５７】
また、季節追従節電運転モードを選択することにより、温度調節装置１６と照明装置５とに対して、季節に応じたより細かな節電運転を一括して行うことができる。
また、外気温追従節電運転モードを選択することにより、温度調節装置１６と照明装置５とに対して、外気温に応じたより細かな節電運転を一括して行うことができる。
【００５８】
また、売れ行き追従節電運転モードを選択することにより、温度調節装置１６と照明装置５とに対して、商品２の売上げに応じたより細かな節電運転を一括して行うことができる。
【００５９】
（第２の実施の形態）
第２の実施の形態では、モード番号９：売れ行き追従節電運転モードにおいて、商品２の売上げの多少の判定基準は下記二段階の式（１）（２）により定義される。
Ｂ×Ｘ≦Ａ・・・（１）
Ｂ×Ｙ≦Ａ<Ｂ×Ｘ・・・（２）
尚、上記式（１）（２）において、Ａは過去二週間における商品２の一日当りの平均販売本数であり、Ｂは商品２の種類数（商品選択釦の数）であり、Ｘ，Ｙはそれぞれ定数であり、例えばＸ＝３，Ｙ＝１に設定されている。
【００６０】
これによると、キーボード１８からモード番号９が入力されると、制御装置１９は売れ行き追従節電運転モードを実行する。この際、図２１に示すように、計数装置２４によって求められる商品２の販売本数に基いて、上記式（１）を満たすか満たさないかを判断し（Ｓ−１）、上記式（１）を満たす場合、売上げが多いと判断して、上記モード番号０の通常運転モードを実行する（Ｓ−２）。また、上記式（１）を満たさない場合、上記式（２）を満たすか満たさないかを判断し（Ｓ−３）、上記式（２）を満たす場合、売上げがやや少ないと判断して、上記モード番号１の通常節電運転モードを実行する（Ｓ−４）。
【００６１】
また、上記Ｓ−３において、上記式（２）を満たさない場合、売上げが少ないと判断して、上記モード番号２の最大節電運転モードを実行する（Ｓ−５）。
上記各実施の形態において記載した温度レベルや温度、調光レベル、時間帯、月日に関する数値ならびに上記式（１）（２）に関する数値（例えば定数Ｘ，Ｙの値）および曜日等は一例であり、これらの数値や曜日等に限定されるものではない。尚、これら各種の数値および曜日等は、キーボード１８を操作することにより、任意に変更することができる。
【００６２】
また、上記モード番号５の曜日別通常節電運転モードおよびモード番号６の曜日別最大節電運転モードにおいて、休日として日曜日と祝日を例示したが、例えば、企業の事業所毎に休日が設定された年間カレンダーに基いて、各事業所毎に指定された休日を入力し、曜日によらずに実際の指定された休日に基いて、節電運転を行ってもよい。
【００６３】
上記実施の形態では、温度調節装置１６と照明装置５とに対して節電運転を行っているが、ディスプレイ部４の照明装置５に限定されるものではなく、照明装置５以外の以下のような電力消費装置であってもよい。すなわち、電力消費装置としては、例えば、接客ランプ７や広告表示部照明装置９又は金銭処理装置１７、ファン装置の一例である冷却加温用ファンモータ３２、制御ユニット（図示省略）、自動販売機１に内蔵された長さ変更可能なダクトの長さ調節装置（図示省略）の少なくともいずれか１つであってもよい。
【００６４】
尚、接客ランプ７や広告表示部照明装置９に対する節電運転は、照明装置５と同様に、調光レベルの制御を行う。また、金銭処理装置１７や制御ユニットに対する節電運転は、待機状態に移行してスタンバイ運転を行う。また、冷却加温用ファンモータ３２に対する節電運転は、例えば、ファンモータ３２に印加する電圧をパルス幅変調（Pulse Width Modulation）する運転を行う。
【００６５】
上記各実施の形態では、各収納庫１４ａ〜１４ｃは冷却設定状態と加温設定状態とに切換え可能であるが、いずれかの収納庫が常時冷却設定状態のみに保たれていてもよい。この場合、常時冷却設定状態の収納庫に対しては、モード番号０〜１１において、冷却設定状態での通常運転および各種節電運転が実行される。
【００６６】
上記各実施の形態では、自動販売機１内に三個の収納庫１４ａ〜１４ｃを設けたが、三つ以外の複数個又は単数個であってもよい。
上記各実施の形態では、照明装置５にＬＥＤを用いているが、ＬＥＤに限定されるものではなく、蛍光灯等を用いてもよい。
【符号の説明】
【００６７】
１      自動販売機
５      照明装置（他の電力消費装置）
７      接客ランプ（ランプ装置，他の電力消費装置）
９      広告表示部照明装置（他の電力消費装置）
１６    温度調節装置
１７    金銭処理装置（他の電力消費装置）
１８    キーボード（運転モード選択手段）
１９    制御装置
３２    ファンモータ（ファン装置，他の電力消費装置）
【図１】
2013061891.tif 000003
【図２】
2013061891.tif 000004
【図３】
2013061891.tif 000005
【図４】
2013061891.tif 000006
【図５】
2013061891.tif 000007
【図６】
2013061891.tif 000008
【図７】
2013061891.tif 000009
【図８】
2013061891.tif 000010
【図９】
2013061891.tif 000011
【図１０】
2013061891.tif 000012
【図１１】
2013061891.tif 000013
【図１２】
2013061891.tif 000014
【図１３】
2013061891.tif 000015
【図１４】
2013061891.tif 000016
【図１５】
2013061891.tif 000017
【図１６】
2013061891.tif 000018
【図１７】
2013061891.tif 000019
【図１８】
2013061891.tif 000020
【図１９】
2013061891.tif 000021
【図２０】
2013061891.tif 000022
【図２１】
2013061891.tif 000023